(57)【要約】【課題】立ちはぜ折板屋根Ｒの上に屋上緑化構造体のための見切り材２０，３０を安定的に固定する。【解決手段】立ちはぜ折板屋根Ｒの上に配置した保水排水基盤材等の外縁部を囲う見切り材２０，３０の立ちはぜ折板屋根への固定構造であって、見切り材２０，３０を固定すべき位置における立ちはぜ突条４には、一対のクランプ片で立ちはぜの突条を左右から挟み付けるようにしてクランプ６０，６０ａが固定される。固定されたクランプは見切り材支持体４０，６５ａを備えており、該見切り材支持体を利用して見切り材２０，３０が固定される。【選択図】図２
2008127843.tif 000002
【特許請求の範囲】
【請求項１】
立ちはぜ折板屋根の上に配置した保水排水基盤材等の外縁部を囲う見切り材の立ちはぜ折板屋根への固定構造であって、見切り材を固定すべき位置における立ちはぜ突条には、一対のクランプ片で立ちはぜの突条を左右から挟み付けるようにしてクランプが固定されており、該固定されたクランプは見切り材支持体を備えており、該見切り材支持体を利用して見切り材が固定されていることを特徴とする見切り材の固定構造。
【請求項２】
屋根勾配方向の見切り材の固定に用いられるクランプは、一方のクランプ片が立ちはぜ突条に沿う方向の見切り材支持体を一体に有しており、該見切り材支持体を利用して屋根勾配方向の見切り材が固定されていることを特徴とする請求項１に記載の見切り材の固定構造。
【請求項３】
前記見切り材は下端側にＬ型折曲部を有しており、固定された状態で前記Ｌ型折曲部は前記立ちはぜ折板屋根の上に配置した保水排水基盤材側に入り込んだ姿勢となっていることを特徴とする請求項１または２に記載の見切り材の固定構造。
【請求項４】
前記クランプは立ちはぜ折板屋根の上面が平坦面となるように屋根面に取り付ける発泡樹脂製断熱板のための係止部を有しており、前記発泡樹脂製断熱板の上に保水排水基盤材が配置されており、かつ前記クランプに対して前記見切り材とともに前記発泡樹脂製断熱板および前記保水排水基盤材が一体に固定されていることを特徴とする請求項１ないし３のいずれかに記載の見切り材の固定構造。
【発明の詳細な説明】
【技術分野】
【０００１】
本発明は、立ちはぜ折板屋根の上に配置した保水排水基盤材等の外縁部を囲う見切り材を立ちはぜ折板屋根へ固定するための固定構造に関する。
【背景技術】
【０００２】
屋内の温度上昇を抑制しかつ景観を向上させる等の目的で、屋根や屋上に植物を植生して屋上を緑化することが行われる。屋根や屋上に土壌層を有する植栽層を直接配置することもあり、発泡樹脂などで造られた保水性と排水性を備えた保水排水基盤材を屋根や屋上に設置し、その上に植栽層を形成することもある。保水排水基盤材等の外縁部にはステンレス鋼板等からなる見切り材が取り付けられ、保水排水基盤材等の安定化が図られる。
【０００３】
屋根や屋上の面が平坦面の場合には、保水排水基盤材や見切り材を安定的に配置することは容易であるが、図１に示すような立ちはぜ折板屋根の場合には、配置面が凹凸面であることから、それらを安定的に固定するために特別の技術的手段が講じられる。
【０００４】
例えば、特許文献１には、図８に示すように、支柱としてのボルト７を立設した取り付け具８ａをネジ８ｂを用いて立ちはぜ突条４に必要数だけ固定し、固定した取り付け具８ａを利用して網目状部材（金網等）９を敷設して立ちはぜ折板屋根の面を平坦面とし、その上に植栽層５４を固定するとともに、図８には示されないが、植生層５４の外縁部には屈曲形成されたステンレス鋼板が見切り材として配置され、該見切り材は前記網目状部材９の縁部に溶接等により固定されている。
【０００５】
特許文献２には、折板屋根の上に立ちはぜ突条よりも高い棒材を置き、それを接着剤またはテープにより折板屋根側に固定し、その上に緑化ユニットを載せ、また緑化ユニットの外縁を囲う見切り材を前記棒材に対してビス等により固定した構造が記載されている。
【０００６】
【特許文献１】特開２００５−６８８００号公報
【特許文献２】特開２００６−２４６８３０号公報
【発明の開示】
【発明が解決しようとする課題】
【０００７】
屋上緑化において、保水排水基盤材や見切り材を屋根面にしっかりと固定することは、台風等により強風が吹き付ける日本においては特に重要な課題となる。一方において、施工の容易性も求められる。特許文献１に記載のものは、取り付け具８ａを立ちはぜ突条に取り付け、それを利用して植生層５４や見切り材を固定しているが、この取り付け具８ａはネジ８ｂの先端を立ちはぜ突条４の下方部に当接して締め付け固定する形状であり、ネジ８ｂの先端の接地面積が小さいために（実質的に点接触）、安定した固定態様が得られないとともに、強くネジを締め付けると立ちはぜ突条４を傷つける恐れがある。また、見切り材を網目状部材９の縁部に溶接等により固定するようにしており、現場での作業に手間がかかり施工性が充分とはいえない。
【０００８】
特許文献２に記載のものは、折板屋根の上に接着剤またはテープにより固定した棒材に対して緑化ユニットや見切り材を固定する構造であり、強風時に生じる負圧に対して充分な強度を備えるかどうか疑問がある。
【０００９】
本発明は上記のような事情に鑑みてなされたものであり、立ちはぜ折板屋根の上に配置した保水排水基盤材等の外縁部を囲う見切り材を、立ちはぜ折板屋根の立ちはぜ突条に対して安定的に固定できるようにした、見切り材の固定構造を提供することを課題とする。
【課題を解決するための手段】
【００１０】
本発明は、立ちはぜ折板屋根の上に配置した保水排水基盤材等の外縁部を囲う見切り材の立ちはぜ折板屋根への固定構造であって、見切り材を固定すべき位置における立ちはぜ突条には、一対のクランプ片で立ちはぜの突条を左右から挟み付けるようにしてクランプが固定されており、該固定されたクランプは見切り材支持体を備えており、該見切り材支持体を利用して見切り材が固定されていることを特徴とする。
【００１１】
上記の固定構造では、クランプとして立ちはぜ突条を左右から挟み付ける一対のクランプ片からなるものを用いており、立ちはぜ突条とクランプ片との接触面は点接触でなく線あるいは面接触となるので、クランプは立ちはぜ突条部分に堅固に固定されるとともに、折板屋根に形成される立ちはぜ突条が損傷を受けることもない。さらに、堅固に固定されたクランプに見切り材支持体を備えるようにし、その見切り材支持体を利用して見切り材を固定するようにしているので、折板屋根に対する見切り材の固定はきわめて安定化するとともに、現場での見切り材の固定作業も簡素化される。
【００１２】
本発明による見切り材の固定構造において、前記クランプに見切り材支持体を備える具体的な態様は任意であるが、屋根勾配方向の見切り材を固定するのに用いられるクランプとして、その一方のクランプ片が立ちはぜ突条に沿う方向の見切り材支持体を一体形成したものを用い、前記一体形成された見切り材支持体を利用して屋根勾配方向の見切り材が固定されている態様は、施工の容易性と高い安定性の双方からきわめて好ましい。
【００１３】
本発明による見切り材の固定構造において、前記見切り材として下端側にＬ型折曲部を有した形状のものを用い、クランプに固定された状態で、前記Ｌ型折曲部は前記立ちはぜ折板屋根の上に配置した保水排水基盤材側に入り込んだ姿勢とすることは、保水排水基盤材および必要な場合にその下に配置される発泡樹脂製断熱板等をより安定して固定することができることから、より好ましい。
【００１４】
本発明による見切り材の固定構造において、前記クランプとして、立ちはぜ折板屋根の上面が平坦面となるように屋根面に取り付ける発泡樹脂製断熱板のための係止部を有している形態のものを用い、該係止部を利用して取り付けた発泡樹脂製断熱板の上に保水排水基盤材を配置し、かつ、そのクランプに対して前記見切り材とともに前記発泡樹脂製断熱板および前記保水排水基盤材が一体に固定されている構造とすることも好ましい態様である。この固定構造を採用することにより、折板屋根の上に構築される緑化構造体全体に対し、負圧に対する充分な強度を確保することができる。
【００１５】
本発明による見切り材の固定構造において、見切り材には、アルミニウム、ステンレス鋼、プラスチックのような材料を用いることができる。軽量で作業性がよいことからアルミニウム製の見切り材は特に好ましい。
【００１６】
立ちはぜ折板屋根の上に配置する保水排水基盤材は、従来の屋上緑化で用いられている保水排水基盤材を任意に用いることができる。素材は軽量性と成形容易性の観点から発泡樹脂製が好ましいが、非発泡樹脂や発泡モルタルのような材料で造られていてもよい。保水排水基盤材は客土層等からなる植栽層をそのまま収容する形態であってもよく、保水排水機能を備え、その上に植栽層を載置する形態のものでもよい。また、保水排水基盤材は一枚物でよく、複数枚の保水排水基盤材を組み合わせて構成されるものであってもよい。
【発明の効果】
【００１７】
本発明によれば、立ちはぜ折板屋根の上に高い安定性を備えた状態で見切り材を固定することができ、結果として、安定した構造の屋上緑化構造体を立ちはぜ折板屋根の上に構築することができる。
【発明を実施するための最良の形態】
【００１８】
以下、図面を参照しながら、本発明を実施の形態に基づき説明する。図１は立ちはぜ折板屋根の一例を示し、図２は立ちはぜ折板屋根の上に見切り材を固定した状態を示している。図３は屋根勾配方向に取り付ける見切り材の固定構造を説明する図であり、図４は軒先方向に取り付ける見切り材の固定構造を説明する図である。図５は本発明による固定構造で用いるクランプの基本形態を示している。図６は図１〜図４に示す固定構造を備えた屋上緑化構造体の見切り材近傍の構造の一例を説明するための図であり、図７は図６に示す屋上緑化構造体における一般部での構造の一例を説明するための図である。
【００１９】
図１に示すように、立ちはぜ折板屋根Ｒは、図１ｂに断面を示す左右の立ち上がり縁の上端部に互いに係合する湾曲部３ａ，３ｂを形成した長尺状の屋根板３を、隣接する屋根板３，３の湾曲部同士を係合（はぜ継ぎ）しながら、梁５の上に専用の取り付け具６を利用して固定するようにしており、屋根勾配方向であるＸ方向に走る山形部１が軒先方向であるＹ方向に所定ピッチＰａで連続している。そして、該山形部１の頂部２には屋根板３を連接したときの丸みを持つ立ちはぜ突条４が屋根勾配方向に走っている。このような立ちはぜ折板屋根Ｒの上に保水排水基盤材や見切り材を固定して屋上緑化構造体とされる。
【００２０】
図５は、そこで用いるクランプ６０の基本形態を示す。クランプ６０は、一定の横幅を持つ左右一対のクランプ片６１，６１で構成される。各クランプ片６１は、立ちはぜ突条４の下方領域を押さえ付ける挟持先端部６２ａとその上方の第１の水平部６２ｂとからなる膨出部６３と、前記挟持先端部６２ａの先端位置とほぼ同じ垂直位置において前記第１の水平部６２ｂから立ち上がる垂直部６４と、該垂直部６４の上端に位置する第２の水平部６５とを有し、垂直部６４には左右のクランプ片６１、６１を一体に締め付けるときに用いるボルトのためのボルト孔６６が形成されている。また、水平部６５にはボルト孔６７が形成されている。なお、ボルトナットでなくドリルビス等を用いて左右のクランプ片６１、６１を一体に締め付けるようにしてもよく、その場合には、ボルト孔６７を省略することができる。また、左右のクランプ片６１、６１のボルト孔６６の一方を、ボルト孔に替えてより径の小さい小孔としてもよい。
【００２１】
前記膨出部６３の内面側の形状は、好ましくは立ちはぜ突条４の外郭形状に一致した形状であり、その大きさは、左右のクランプ片６１、６１を締め付けたときに立ちはぜ突条４をわずかに圧縮して変形させるように大きさとされる。しかし、膨出部６３の内面側の形状は、左右のクランプ片６１、６１を締め付けたときに、その内周面が部分的に突条４に接触するような形状、あるいはまったく接しない形状であっても差し支えない。また、図示の例では、挟持先端部６２ａ，６２ａの先端は先鋭となっているが、図２〜図４に示すクランプ６０の場合のように、先端を外側に反らし、突条４に当たる面を曲面とすることもできる。図示しないが、立ちはぜ突条４と該突条４を挟持するクランプ片６１，６１との間にパッキン材を介装してもよい。この構成とすることにより、立ちはぜ突条部とクランプ６０とが直接接触しないようになり、立ちはぜ突条部の防錆処理が剥がれた場合でも、防食電流の流れを効果的に防止することができ、立ちはぜ突条部の腐食による劣化を長期にわたって回避することができる。
【００２２】
クランプ６０の立ちはぜ突条４への固定に際しては、図５に示すように、左右のクランプ片６１，６１の膨出部６３の間に突条４を挟み込んだ姿勢とし、双方の垂直部６４に形成したボルト孔６６にボルトを通してナットで締め付ける。一定の横幅を持つ挟持先端部６２の先端と膨出部６３の内面側とで突条４を両側から押さえ付けた状態で、クランプ６０は突条４に固定されるので、クランプ６０の固定状態はきわめて安定したものとなる。
【００２３】
図２に示すように、上記のクランプ６０を用いて屋根勾配方向の見切り材２０と軒先方向の見切り材３０を立ちはぜ折板屋根Ｒに固定する。ただし、屋根勾配方向の見切り材２０の固定には、図３に示すように、一方のクランプ片６１の形状が異なった形状であるクランプ６０ａが用いられ、軒先方向の見切り材３０の固定には、図４に示すように、クランプ６０とともに別部材である見切り材支持体４０が用いられる。
【００２４】
最初に、屋根勾配方向の見切り材２０の固定態様を説明する。図３に示すように、立ちはぜ折板屋根Ｒにおける前記見切り材２０を固定すべき位置における立ちはぜ突条４に、一対のクランプ片６１，６１で立ちはぜ突条４を左右から挟み付けるようにして適数のクランプ６０ａを固定する。図示のように、クランプ６０ａの一方のクランプ片６１ａは、前記した垂直部６４がそのまま上方に延出しており、その部分が見切り材支持体６５ａを構成している。見切り材２０は、立ちはぜ突条４に沿うようにして前記クランプ片６１ａの外側から前記垂直部６４および見切り材支持体６５ａに押し当てられ、ネジやビス６８等で見切り材支持体６５ａ（クランプ６０ａ）に固定される。この屋根勾配方向の見切り材２０の固定態様が、屋上緑化構造が造られる領域の左右の端部に形成される。
【００２５】
図示の例で、見切り材２０は下端側に水平方向に延びるＬ型折曲部２１を有しており、見切り材２０は、前記Ｌ型折曲部２１を内側とし、かつ該Ｌ型折曲部２１がクランプ片６１の前記第１の水平部６２ｂとほぼ同じ高さとなるようにして、固定される。なお、前記Ｌ型折曲部２１はクランプ６０ａに当接する箇所では切り欠かれている。また、見切り材２０の端縁は９０度に折り曲げられており、軒先方向の見切り材３０との接続フランジ２２となっている。Ｌ型折曲部２１および接続フランジ２２は省略可能である。
【００２６】
次に、軒先方向の見切り材３０の固定態様を説明する。図４に示すように、この場合には、水平部４１と垂直部４２とでＬ字状をなす見切り材支持体４０が用いられる。立ちはぜ折板屋根Ｒにおける前記見切り材３０を固定すべき位置に、前記したようにして適数のクランプ６０を固定する。固定したクランプ６０の前記水平部６５を利用して、見切り材支持体４０を固定する。その際に、前記垂直部４２を外側に位置させて前記水平部４１をネジやビス６８等でクランプ６０の前記水平部６５に固定する。そのようにして固定した見切り材支持体４０の前記垂直部４２を利用して、軒先方向の見切り材３０をやはりネジやビス６８等を用いて固定する。この軒先方向の見切り材３０の固定態様が、屋上緑化構造が造られる領域の前後の端部に形成される。
【００２７】
図示の例で、見切り材３０も下端側に水平方向に延びるＬ型折曲部３１を有しており、見切り材３０は、前記Ｌ型折曲部３１を内側とし、かつ該Ｌ型折曲部３１がクランプ片６１の前記第１の水平部６２ｂとほぼ同じ高さとなるようにして、固定される。なお、ここでも前記Ｌ型折曲部３１はクランプ６０に当接する箇所では切り欠かれている。
【００２８】
次に、上記の見切り材の固定構造を備える屋上緑化構造体の一例を図６，図７を用いて説明する。図２には図示されないが、見切り材２０，３０で包囲される区画内における立ちはぜ突条４・・には、所定間隔で適数のクランプ６０が固定される。前記したように、クランプ６０，６０ａのクランプ片６１は、前記第１の水平部６２ｂ，垂直部６４，第２の水平部６５で形成される断面コ字状空間を有しており、隣接するクランプ６０，６０ａの前記断面コ字状空間内に端縁を差し込むようにして発泡樹脂製断熱板５０・・を取り付ける。それにより、立ちはぜ折板屋根Ｒの上面は、全体が発泡樹脂製断熱板５０で覆われた状態となり、平坦面が形成される。その上に、適宜の従来知られた保水排水基盤材１０が固定され（なお、保水排水基盤材１０の一例が図７に示される）、その上に適宜の植生層Ｂが配置されて、屋上緑化構造体Ａとされる。
【００２９】
図６ａは上記屋上緑化構造体Ａにおける屋根勾配方向の見切り材２０側での図１でのＹ方向の断面を示しており、図６ｂは軒先方向の見切り材３０側での図１でのＸ方向の断面を示している。図示のように、屋上緑化構造体Ａの外周は全体が見切り材２０，３０で覆われるので見栄えがよく、保水排水基盤材１０が発泡樹脂製の場合でも太陽光からの劣化も阻止できる。さらに、見切り材２０，３０は立ちはぜ突条４に堅固に固定されたクランプ６０，６０ａを利用して立ちはぜ屋根に固定されており、見切り材２０，３０の固定も確実となり、結果として、屋上緑化構造体Ａの全体が立ちはぜ屋根の上にしっかり固定される。見切り材２０，３０をクランプ６０，６０ａに固定するのに用いたネジやビス６８等を発泡樹脂製断熱板５０や保水排水基盤材１０の固定にも利用することにより、一層堅固な固定構造を得ることができる。
【００３０】
図７は屋上緑化構造体Ａの一般部、すなわち見切り材２０，３０には接していない領域での固定構造の一例を示している。ここでは、矩形状である複数個の保水排水基盤材１０が用いられ、隣接する保水排水基盤材１０の連接部となる位置に、前記したようにしてクランプ６０が固定される。前記のようにクランプ６０を利用して発泡樹脂製断熱板５０が敷き詰められるとともに、固定したクランプ６０の各クランプ片６１にはネジ桿７０が立設された支持板７１が固定され、該立設したネジ桿７０・・を利用して隣接する前記保水排水基盤材１０同士を固定される。すなわち、隣接する保水排水基盤材１０を貫通して飛び出ているネジ桿７０にナット７３をネジ込むことにより、隣接する保水排水基盤材１０は立ちはぜ折板屋根Ｒの上にしっかりと固定される。この作業の後に、あるいはこの作業と平行して、前記した見切り材２０，３０の固定作業を行うことにより、本発明による固定構造で見切り材が固定された屋上緑化構造体Ａが立ちはぜ折板屋根Ｒの上に完成する。なお、図示の例において、保水排水基盤材１０は、発泡樹脂の成形品であり、保水用空間１２と植生層等の支持体１３を有し、図示されないが、周壁部には互いに嵌合する接続用凹凸部や溢流部が形成されている。
【図面の簡単な説明】
【００３１】
【図１】立ちはぜ折板屋根の一例を示す斜視図（図１ａ）とそこで使用する屋根板を示す断面図（図１ｂ）。
【図２】立ちはぜ折板屋根の上に見切り材を固定した状態を示す斜視図。
【図３】屋根勾配方向に取り付ける見切り材の固定構造を説明する斜視図。
【図４】軒先方向に取り付ける見切り材の固定構造を説明する斜視図。
【図５】本発明による固定構造で用いるクランプの基本形態を説明するための図。
【図６】図１〜図４に示す固定構造を備えた屋上緑化構造体の見切り材近傍の構造の一例を説明するための図であり、  図６ａは屋根勾配方向の見切り材側での図１でのＹ方向の断面を示し、図６ｂは軒先方向の見切り材側での図１でのＸ方向の断面を示している。
【図７】図６に示す屋上緑化構造体における一般部での構造の一例を説明するための図。
【図８】立ちはぜ折板屋根に保水排水基盤材を固定するのに用いられる従来の固定具を説明するための図。
【符号の説明】
【００３２】
Ｒ…立ちはぜ折板屋根、Ａ…屋上緑化構造体、Ｂ…植生層、Ｐａ…山形部のピッチ、Ｘ…屋根勾配方向、Ｙ…軒先方向、３…屋根板、４…立ちはぜ突条、１０…保水排水基盤材、１２…保水用空間、１３…植栽層支持体、２０…屋根勾配方向の見切り材、２１…Ｌ型折曲部、３０…軒先方向の見切り材、３１…Ｌ型折曲部、４０…見切り材支持体、４１…見切り材支持体の水平部、４２…見切り材支持体の垂直部、５０…発泡樹脂製断熱板、６０、６０ａ…クランプ、６１、６１ａ…クランプ片、６２ａ…挟持先端部、６２ｂ…第１の水平部、６３…膨出部、６４…垂直部、６５…第２の水平部、６５ａ…クランプ片と一体化した見切り材支持体、７０…支柱（ネジ桿）、７１…支持板。
【図１】
2008127843.tif 000003
【図２】
2008127843.tif 000004
【図３】
2008127843.tif 000005
【図４】
2008127843.tif 000006
【図５】
2008127843.tif 000007
【図６】
2008127843.tif 000008
【図７】
2008127843.tif 000009
【図８】
2008127843.tif 000010